(57)【特許請求の範囲】
【請求項１】
鉄骨部材の周りを前記鉄骨部材と間隔をあけて囲む複数の下張りボード部材と、
前記鉄骨部材と前記下張りボード部材との間に前記鉄骨部材の軸方向を長手方向とし、かつ、前記鉄骨部材と間隔をあけて配置されると共に前記下張りボード部材における前記軸方向と直交する幅方向の端部同士が突き当てられた隅部に配置され、前記下張りボード部材を支持する複数のコーナー支持部材と、
隣接する前記コーナー支持部材の間に前記軸方向を長手方向とし、かつ、前記鉄骨部材と間隔をあけて配置される中間支持部材と、
前記下張りボード部材の外面に重ねられると共に、前記コーナー支持部材と前記中間支持部材に渡って配置される複数の上張りボード部材と、
前記軸方向に隣接する前記上張りボード部材の端部、及び前記下張りボード部材を貫通し、該上張りボード部材及び該下張りボード部材を前記コーナー支持部材及び前記中間支持部材にそれぞれ固定する複数の第１固定手段と、
を備え、
前記軸方向に隣接する前記下張りボード部材の端部間に形成される横目地と、前記軸方向に隣接する前記上張りボード部材の端部間に形成される横目地とが前記軸方向にずれると共に、
前記幅方向に隣接する前記下張りボード部材の端部間に形成される縦目地と、前記幅方向に隣接する前記上張りボード部材の端部間に形成される縦目地とが前記幅方向にずれるボード部材取付構造。
【請求項２】
前記鉄骨部材が、上下方向を前記軸方向として配置された鉄骨柱とされ、
前記第１固定手段が、上下方向に隣接する前記上張りボード部材の端部及び前記下張りボード部材を貫通し、該上張りボード部材及び該下張りボード部材を前記コーナー支持部材及び前記中間支持部材にそれぞれ固定する請求項１に記載のボード部材取付構造。
【請求項３】
鉄骨部材の周りを前記鉄骨部材と間隔をあけて囲む複数の下張りボード部材と、
前記鉄骨部材と前記下張りボード部材との間に前記鉄骨部材の軸方向を長手方向とすると共に前記鉄骨部材と間隔をあけて配置され、前記下張りボード部材を支持する支持部材と、
前記下張りボード部材の外面に重ねられる複数の上張りボード部材と、
前記軸方向に隣接する前記上張りボード部材の端部、及び前記下張りボード部材を貫通し、該上張りボード部材及び該下張りボード部材を前記支持部材に固定する第１固定手段と、
を備え、
前記支持部材が、前記下張りボード部材における前記軸方向と直交する幅方向の端部同士が突き当てられた隅部に配置されるコーナー支持部材を有し、
前記コーナー支持部材は、水平断面が長方形状に形成されると共に、水平断面視にて互いに直交するように各々の長手方向の端部が突き当てられた一対のコーナースタッドを有し、
前記第１固定手段は、前記一対のコーナースタッドのうち、一方のコーナースタッドにのみ前記上張りボード部材及び前記下張りボード部材を固定するボード部材取付構造。
【請求項４】
前記鉄骨部材が、上下方向を前記軸方向として配置された鉄骨柱とされ、
前記第１固定手段が、上下方向に隣接する前記上張りボード部材の端部及び前記下張りボード部材を貫通し、該上張りボード部材及び該下張りボード部材を前記支持部材に固定する請求項３に記載のボード部材取付構造。
【請求項５】
鉄骨部材の周りを前記鉄骨部材と間隔をあけて囲む複数の下張りボード部材と、
前記鉄骨部材と前記下張りボード部材との間に前記鉄骨部材の軸方向を長手方向とし、かつ、前記鉄骨部材と間隔をあけて配置されると共に前記下張りボード部材における前記軸方向と直交する幅方向の端部同士が突き当てられた隅部に配置され、前記下張りボード部材を支持する複数のコーナー支持部材と、
隣接する前記コーナー支持部材の間に前記軸方向を長手方向とし、かつ、前記鉄骨部材と間隔をあけて配置される中間支持部材と、
前記下張りボード部材の外面に重ねられると共に前記コーナー支持部材と前記中間支持部材に渡って配置される複数の上張りボード部材と、
前記軸方向に隣接する前記上張りボード部材の端部、及び前記下張りボード部材を貫通し、該上張りボード部材及び該下張りボード部材を前記コーナー支持部材又は前記中間支持部材に固定する第１固定手段と、
前記コーナー支持部材と前記中間支持部材との間に渡される被固定部材と、
前記上張りボード部材及び前記下張りボード部材を貫通し、該上張りボード部材及び該下張りボード部材を前記被固定部材に固定する第２固定手段と、
を備え、
前記軸方向に隣接する前記下張りボード部材の端部間に形成される横目地と、前記軸方向に隣接する前記上張りボード部材の端部間に形成される横目地とが前記軸方向にずれると共に、
前記幅方向に隣接する前記下張りボード部材の端部間に形成される縦目地と、前記幅方向に隣接する前記上張りボード部材の端部間に形成される縦目地とが前記幅方向にずれるボード部材取付構造。
【請求項６】
前記第１固定手段が、１枚の前記上張りボード部材における前記軸方向の両側の前記端部を前記コーナー支持部材又は前記中間支持部材にそれぞれ固定し、
前記軸方向に隣接する前記第１固定手段の間にそれぞれ設けられ、該上張りボード部材及び前記下張りボード部材を貫通し、該上張りボード部材及び該下張りボード部材を前記コーナー支持部材又は前記中間支持部材に固定する第３固定手段を備える請求項５に記載のボード部材取付構造。
【請求項７】
前記上張りボード部材及び前記下張りボード部材を前記コーナー支持部材に固定する前記第３固定手段の数が、該上張りボード部材及び該下張りボード部材を前記中間支持部材に固定する前記第３固定手段の数よりも多い請求項６に記載のボード部材取付構造。
【発明の詳細な説明】
【技術分野】
【０００１】
本発明は、ボード部材取付構造に関する。
【背景技術】
【０００２】
鉄骨柱を耐火ボードで被覆する耐火被覆構造としては、例えば、特許文献１が知られている。特許文献１では、重ねられた２枚の下張り面材及び上張り面材によって鉄骨柱が被覆されている。これらの下張り面材及び上張り面材は、鉄骨柱の外周に配置され、当該鉄骨柱に固定された取り付け金物にビスで固定されている。このように特許文献１では、２枚の下張り面材及び上張り面材を重ねることにより、耐火性能を確保している。
【０００３】
しかしながら、鉄骨柱の高さに応じて上下方向に複数の上張り面材を並べると、火災熱等によって各上張り面材に収縮や反りが生じた場合に、上下方向に隣接する上張り面材間の目地が開いて下張り面材が露出し、耐火性能が著しく低下する恐れがある。
【先行技術文献】
【特許文献】
【０００４】
【特許文献１】特開平１１−１９７６号公報
【発明の概要】
【発明が解決しようとする課題】
【０００５】
本発明は、上記の事実を考慮し、鉄骨部材の軸方向に隣接する上張りボード部材間の目地の開きを抑制することを目的とする。
【課題を解決するための手段】
【０００６】
請求項１に記載のボード部材取付構造は、鉄骨部材の周りを前記鉄骨部材と間隔をあけて囲む複数の下張りボード部材と、前記鉄骨部材と前記下張りボード部材との間に前記鉄骨部材の軸方向を長手方向とし、かつ、前記鉄骨部材と間隔をあけて配置されると共に前記下張りボード部材における前記軸方向と直交する幅方向の端部同士が突き当てられた隅部に配置され、前記下張りボード部材を支持する複数のコーナー支持部材と、隣接する前記コーナー支持部材の間に前記軸方向を長手方向とし、かつ、前記鉄骨部材と間隔をあけて配置される中間支持部材と、前記下張りボード部材の外面に重ねられると共に、前記コーナー支持部材と前記中間支持部材に渡って配置される複数の上張りボード部材と、前記軸方向に隣接する前記上張りボード部材の端部、及び前記下張りボード部材を貫通し、該上張りボード部材及び該下張りボード部材を前記コーナー支持部材及び前記中間支持部材にそれぞれ固定する複数の第１固定手段と、を備え、前記軸方向に隣接する前記下張りボード部材の端部間に形成される横目地と、前記軸方向に隣接する前記上張りボード部材の端部間に形成される横目地とが前記軸方向にずれると共に、前記幅方向に隣接する前記下張りボード部材の端部間に形成される縦目地と、前記幅方向に隣接する前記上張りボード部材の端部間に形成される縦目地とが前記幅方向にずれる。
【０００７】
請求項１に係る発明によれば、鉄骨部材の軸方向に隣接する上張りボード部材の端部を第１固定手段で支持部材に固定したことにより、これらの端部間に形成される目地の開きが抑制される。従って、鉄骨部材の耐火性能が向上する。
また、軸方向に隣接する下張りボード部材の端部間に形成される横目地と、軸方向に隣接する上張りボード部材の端部間に形成される横目地とが軸方向にずれると共に、軸方向と直交する幅方向に隣接する下張りボード部材の端部間に形成される縦目地と、幅方向に隣接する上張りボード部材の端部間に形成される縦目地とが幅方向にずれることにより、鉄骨部材の耐火性能がさらに向上する。
【０００８】
また、鉄骨部材の軸方向に隣接する上張りボード部材の端部を第１固定手段でコーナー支持部材及び中間支持部材に固定したことにより、これらの端部間に形成される目地の開きが抑制される。従って、鉄骨部材の耐火性能が向上する。
【００１０】
請求項２に記載のボード部材取付構造は、請求項１に記載のボード部材取付構造において、前記鉄骨部材が、上下方向を前記軸方向として配置された鉄骨柱とされ、前記第１固定手段が、上下方向に隣接する前記上張りボード部材の端部及び前記下張りボード部材を貫通し、該上張りボード部材及び該下張りボード部材を前記コーナー支持部材及び前記中間支持部材にそれぞれ固定する。
【００１１】
請求項２に係る発明によれば、下張りボード部材及び上張りボード部材で鉄骨柱を囲むことにより、鉄骨柱の耐火性能が向上する。
【００１２】
請求項３に記載のボード部材取付構造は、鉄骨部材の周りを前記鉄骨部材と間隔をあけて囲む複数の下張りボード部材と、前記鉄骨部材と前記下張りボード部材との間に前記鉄骨部材の軸方向を長手方向とすると共に前記鉄骨部材と間隔をあけて配置され、前記下張りボード部材を支持する支持部材と、前記下張りボード部材の外面に重ねられる複数の上張りボード部材と、前記軸方向に隣接する前記上張りボード部材の端部、及び前記下張りボード部材を貫通し、該上張りボード部材及び該下張りボード部材を前記支持部材に固定する第１固定手段と、を備え、前記支持部材が、前記下張りボード部材における前記軸方向と直交する幅方向の端部同士が突き当てられた隅部に配置されるコーナー支持部材を有し、前記コーナー支持部材は、水平断面が長方形状に形成されると共に、水平断面視にて互いに直交するように各々の長手方向の端部が突き当てられた一対のコーナースタッドを有し、前記第１固定手段は、前記一対のコーナースタッドのうち、一方のコーナースタッドにのみ前記上張りボード部材及び前記下張りボード部材を固定する。
請求項４に記載のボード部材取付構造は、請求項３に記載のボード部材取付構造において、前記鉄骨部材が、上下方向を軸方向として配置された鉄骨柱とされ、前記固定手段が、上下方向に隣接する前記上張りボード部材の端部及び前記下張りボード部材を貫通し、該上張りボード部材及び該下張りボード部材を前記支持部材に固定する。
請求項４に係る発明によれば、下張りボード部材及び上張りボード部材で鉄骨柱を囲むことにより、鉄骨柱の耐火性能が向上する。
請求項５に記載のボード部材取付構造は、鉄骨部材の周りを前記鉄骨部材と間隔をあけて囲む複数の下張りボード部材と、前記鉄骨部材と前記下張りボード部材との間に前記鉄骨部材の軸方向を長手方向とし、かつ、前記鉄骨部材と間隔をあけて配置されると共に前記下張りボード部材における前記軸方向と直交する幅方向の端部同士が突き当てられた隅部に配置され、前記下張りボード部材を支持する複数のコーナー支持部材と、
隣接する前記コーナー支持部材の間に前記軸方向を長手方向とし、かつ、前記鉄骨部材と間隔をあけて配置される中間支持部材と、前記下張りボード部材の外面に重ねられると共に前記コーナー支持部材と前記中間支持部材に渡って配置される複数の上張りボード部材と、前記軸方向に隣接する前記上張りボード部材の端部、及び前記下張りボード部材を貫通し、該上張りボード部材及び該下張りボード部材を前記コーナー支持部材又は前記中間支持部材に固定する第１固定手段と、前記コーナー支持部材と前記中間支持部材との間に渡される被固定部材と、前記上張りボード部材及び前記下張りボード部材を貫通し、該上張りボード部材及び該下張りボード部材を前記被固定部材に固定する第２固定手段と、を備え、前記軸方向に隣接する前記下張りボード部材の端部間に形成される横目地と、前記軸方向に隣接する前記上張りボード部材の端部間に形成される横目地とが前記軸方向にずれると共に、前記幅方向に隣接する前記下張りボード部材の端部間に形成される縦目地と、前記幅方向に隣接する前記上張りボード部材の端部間に形成される縦目地とが前記幅方向にずれる。
【００１３】
請求項５に係る発明によれば、コーナー支持部材と中間支持部材との間に渡された被固定部材に第２固定手段で上張りボード部材及び下張りボードを固定したことにより、被固定部材及び第２固定手段を備えない構成と比較して、上張りボード部材及び下張りボード部材の支持性能が向上する。従って、鉄骨部材の耐火性能が向上する。
また、軸方向に隣接する下張りボード部材の端部間に形成される横目地と、軸方向に隣接する上張りボード部材の端部間に形成される横目地とが軸方向にずれると共に、軸方向と直交する幅方向に隣接する下張りボード部材の端部間に形成される縦目地と、幅方向に隣接する上張りボード部材の端部間に形成される縦目地とが幅方向にずれることにより、鉄骨部材の耐火性能がさらに向上する。
【００１４】
請求項６に記載のボード部材取付構造は、請求項５に記載のボード部材取付構造において、前記第１固定手段が、１枚の前記上張りボード部材における前記軸方向の両側の前記端部を前記コーナー支持部材又は前記中間支持部材にそれぞれ固定し、前記軸方向に隣接する前記第１固定手段の間にそれぞれ設けられ、該上張りボード部材及び前記下張りボード部材を貫通し、該上張りボード部材及び該下張りボード部材を前記コーナー支持部材又は前記中間支持部材に固定する第３固定手段を備えている。
【００１５】
請求項６に係る発明によれば、上張りボード部材及び下張りボード部材を第３固定手段でコーナー支持部材又は中間支持部材に固定したことにより、第３固定手段を備えない構成と比較して、上張りボード部材及び下張りボード部材の支持性能が向上する。従って、鉄骨部材の耐火性能が向上する。
【００１６】
請求項７に記載のボード部材取付構造は、請求項６に記載のボード部材取付構造において、前記上張りボード部材及び前記下張りボード部材を前記コーナー支持部材に固定する前記第３固定手段の数が、該上張りボード部材及び該下張りボード部材を前記中間支持部材に固定する前記第３固定手段の数よりも多い。
【００１７】
請求項７に係る発明によれば、上張りボード部材及び下張りボード部材をコーナー支持部材に固定する第３固定手段の数を、上張りボード部材及び下張りボード部材を中間支持部材に固定する第３固定手段の数よりも多くしたことにより、第３固定手段の数を抑えつつ、鉄骨部材の耐火性能を効率的に向上することができる。
【発明の効果】
【００１８】
本発明は、上記の構成としたので、鉄骨部材の軸方向に隣接する上張りボード部材間の目地の開きを抑制することができる。
【図面の簡単な説明】
【００１９】
【図１】本発明の第１実施形態に係るボード部材取付構造が適用された柱を部分的に切り欠いて示す、斜視図である。
【図２】本発明の第１実施形態に係るボード部材取付構造が適用された柱を示す、立面図（側面図）である。
【図３】（Ａ）は図２の３Ａ−３Ａ線拡大断面図、（Ｂ）は図２の３Ｂ−３Ｂ線拡大断面図である。
【図４】（Ａ）は図２の４−４線拡大断面図、（Ｂ）は比較例を示す図４（Ａ）に相当する断面図である。
【図５】本発明の第２実施形態に係るボード部材取付構造が適用された柱を示す、立面図（側面図）である。
【図６】（Ａ）は図５の６Ａ−６Ａ線要部拡大断面図、（Ｂ）は図５の６Ｂ−６Ｂ線要部拡大断面図である。
【図７】本発明の第２実施形態に係るボード部材取付構造の変形例が適用された柱を示す図であり、（Ａ）は図６（Ｂ）相当する要部拡大断面図、（Ｂ）は図５に相当する要部立面図である。
【図８】本発明の第１、第２実施形態に係るボード部材取付構造の変形例が適用された柱を示す、立面図（側面図）である。
【図９】本発明の第１、第２実施形態に係るボード部材取付構造の変形例が適用された柱を示す、立面図（側面図）である。
【図１０】本発明の実施形態に係る被固定部材が適用された柱を示す図であり、（Ａ）は要部立面図、（Ｂ）は図１０（Ａ）の８−８線断面図である。
【図１１】本発明の実施形態に係る被固定部材が適用された柱を示す図であり、（Ａ）は要部立面図、（Ｂ）は図１１（Ａ）の９−９線断面図である。
【図１２】本発明の実施形態に係る被固定部材の変形例が適用された柱を示す図であり、（Ａ）は要部立面図、（Ｂ）は被固定部材を示す斜視図である。
【図１３】本発明の第１、第２実施形態に係るボード部材取付構造の変形例が適用された柱を示す、図３（Ａ）に相当する断面図である。
【発明を実施するための形態】
【００２０】
以下、図面を参照しながら、本発明の実施形態に係るボード部材取付構造について説明する。なお、各図において、適宜示される矢印Ｘは水平方向を示し、矢印Ｙは矢印Ｘで示される方向と直交する水平方向を示し、矢印Ｚは、矢印Ｘ及び矢印Ｙで示される方向と直交する鉛直方向（上下方向）を示している。
【００２１】
＜第１実施形態＞
先ず、第１実施形態に係るボード部材取付構造の構成について説明する。
【００２２】
図１、図２、図３（Ａ）、及び図３（Ｂ）には、鉄骨やコンクリート等で構成された構造物１０の柱１００が示されている。柱１００は、鉄骨部材としての鉄骨柱１１０が複数のボード部材１５０で耐火被覆された構成とされている。これらのボード部材１５０は、当該ボード部材１５０と鉄骨柱１１０の間に配置された複数のスタッド１２０によって支持されている。
【００２３】
なお、柱１００（柱１００の壁面を構成するボード部材１５０で囲まれた部位）の水平断面は略正方形状とされ、この柱１００の断面における鉄骨柱１１０に向かう方向を内側方向とし、鉄骨柱１１０から離れる方向を外側方向として以下説明する。また、後述する柱１００の４つの隅部１０２（図３参照）に配置されたスタッド（支持部材）１２０をコーナースタッド（コーナー支持部材）１２０Ｃとし、隣接するコーナースタッド１２０Ｃの間に配置されたスタッド１２０を中間スタッド（中間支持部材）１２０Ｍとして、両者を区別して説明する場合があるが、両者の構成は同じである。
【００２４】
鉄骨柱１１０は、水平断面が略正方形の角形鋼管とされ、上下方向（矢印Ｚ方向）を軸方向として配置されている。この鉄骨柱１１０の周囲には、複数のスタッド１２０が配置されている。各スタッド１２０は、鉄骨柱１１０と間隔を空け、鉄骨柱１１０の軸方向、即ち、上下方向（矢印Ｚ方向）を長手方向として配置されている。隣接するスタッド１２０は、鉄骨柱１１０の軸方向と直交する幅方向（矢印Ｘ方向又は矢印Ｙ方向）に間隔を空けて複数配置されている。言い換えると、スタッド１２０は、鉄骨柱１１０の周囲に、矢印Ｘ方向と矢印Ｙ方向とに沿って間隔を空けて複数配置されている。なお、本実施形態では、スタッド１２０は軽鉄製のＣ形鋼とされており、その水平断面の形状は略長方形とされている。
【００２５】
各スタッド１２０の長手方向（上下方向）の下端部は、構造物１０を構成するスラブ１２に設けられたランナー１３０に支持されている。ランナー１３０は軽鉄製とされ、垂直断面が溝状（断面Ｃ形）のレールとされている。ランナー１３０は、鉄骨柱１１０の周囲に矢印Ｘ方向と矢印Ｙ方向とに沿って配置され、図示しないビスやタップネジ等でスラブ１２に固定されている。このランナー１３０のフランジ１３２に、スタッド１２０の下端部が図示しないビスやタップネジ等で固定されている。これと同様に、各スタッド１２０の長手方向（上下方向）の上端部（図示省略）は、構造物１０の躯体を構成する図示しない上階のスラブや梁等の躯体に設けられたランナーに支持されている。なお、スタッド１２０の上端部を支持するランナーは、スタッド１２０の下端部を支持するランナー１３０と同様の構成であるため、説明を省略する。これらのランナー１３０等によって、各スタッド１２０が鉄骨柱１１０に対して独立して支持されている。また、隣接するスタッド１２０は、これらのスタッド１２０の間に幅方向（水平方向）を長手方向として配置された振れ止め用の横棒１４０によって連結されている。なお、図３（Ａ）及び図３（Ｂ）では、ランナー１３０の図示が省略されている。
【００２６】
このように鉄骨柱１１０の周囲に独立して立てられたスタッド１２０に、複数のボード部材１５０が支持されている。各ボード部材１５０はスタッド１２０の外側に配置されており、鉄骨柱１１０を囲んでいる。別の言い方をすると、鉄骨柱１１０とボード部材１５０との間に複数のスタッド１２０が配置されている。
【００２７】
各ボード部材１５０は、内側（鉄骨柱１１０側）に配置された下張りボード部材１６０と、下張りボード部材１６０の外面（外側）に重ねられた仕上げ兼用の上張りボード部材１７０を備え、鉄骨柱１１０の４つの側壁にそれぞれ対向して配置されている。つまり、ボード部材１５０は、仕上げ兼用の耐火被覆材とされている。これらの下張りボード部材１６０及び上張りボード部材１７０に、本実施形態に係るボード部材取付構造が適用されている。
【００２８】
なお、本実施形態では、下張りボード部材１６０は強化石膏ボードで構成され、上張りボード部材１７０は石膏ボードで構成されており、ボード部材１５０の面外方向（板厚方向）に重ねられている。ここで、石膏ボードは、石膏を主成分とした素材を板状にして特殊な用紙で包んで構成された耐火ボードであり、強化石膏ボードは石膏の芯にガラス繊維などを加えて耐火性能を強化した耐火ボードである。なお、通常、石膏は多量の結晶水を含んでおり、炎や熱に晒されると、この結晶水が蒸気として空気中に放出される。この結晶水の蒸発により熱が吸収されることによって、断熱効果が発揮される。
【００２９】
図２に示されるように、下張りボード部材１６０は、鉄骨柱１１０の各側壁に対し、鉄骨柱１１０の高さに応じて上下方向に複数（本実施形態では、３枚）並べられて配置されている。上下方向に隣接する下張りボード部材１６０の端部１６０Ｔ，１６０Ｕの間には、水平方向に延びる横目地１６２が形成されている。また、下張りボード部材１６０は、隣接するコーナースタッド１２０Ｃに渡って（またがって）配置され、その幅方向（矢印Ｙ方向又は矢印Ｘ方向）の端部１６０Ｌ，１６０Ｒ（図３（Ａ）参照）がビス１６４でコーナースタッド１２０Ｃにそれぞれ固定されると共に、その幅方向の中央部がビス１６４で中間スタッド１２０Ｍに固定されている。なお、ビス１６４は、上下方向に間隔を空けて複数設けられており、下張りボード部材１６０を貫通し、コーナースタッド１２０Ｃ又は中間スタッド１２０Ｍに留められている。
【００３０】
図３（Ａ）に示されるように、鉄骨柱１１０の各側壁に対向して配置された下張りボード部材１６０は、幅方向の端部１６０Ｌ、１６０Ｒ同士が突き当てられており、鉄骨柱１１０を囲んでいる。具体的には、隣接する一方の下張りボード部材１６０の幅方向の端部１６０Ｌにおける側面（内面）に、隣接する他方の下張りボード部材１６０の幅方向の端部１６０Ｒにおける端面が突き当てられており、これらの端部１６０Ｌ，１６０Ｒによって角部１０４が形成されている。このように、下張りボード部材１６０の幅方向の端部１６０Ｌ、１６０Ｒ同士が突き当てられて形成された柱１００の４つの隅部１０２にコーナースタッド１２０Ｃが配置されている。
【００３１】
なお、本実施形態では、向きが異なる２つのスタッド１２０が各隅部１０２に立てられており、これら２つのスタッド１２０によって１つのコーナースタッド１２０Ｃが構成されている。これにより、コーナースタッド１２０Ｃの剛性が増加され、下張りボード部材１６０及び上張りボード部材１７０の面外変形に対する拘束力が大きくなっている。
【００３２】
また、隅部１０２とは、２枚の下張りボード部材１６０が角度（本実施形態では、略９０度）を持って配置され、突き当てられた幅方向（矢印Ｘ方向又は矢印Ｙ方向）の端部１６０Ｌ、１６０Ｒ同士によって囲まれた内側（鉄骨柱１１０側）の領域であり、この領域にスタッド１２０を立てた場合に、当該スタッド１２０によって下張りボード部材１６０の幅方向の端部１６０Ｌ、１６０Ｒが支持可能となる領域を意味する。言い換えると、下張りボード部材１６０の幅方向の端部１６０Ｌ、１６０Ｒ同士が突き当てられて形成された角部１０４によって囲まれた内側（鉄骨柱１１０側）の領域を意味する。なお、ここで言う下張りボード部材１６０の幅方向の端部１６０Ｌ、１６０Ｒとは、下張りボード部材１６０の幅方向の端部１６０Ｌ、１６０Ｒにおける端面に限らず、当該端面の周辺部（例えば、側面（内面））を含む概念である。
【００３３】
図２に示されるように、下張りボード部材１６０の外面に重ねられた上張りボード部材１７０は、鉄骨柱１１０の各側壁に対し、上下方向に複数（本実施形態では、３枚）並べられて配置されており、上下方向に隣接する上張りボード部材１７０の端部１７０Ｔ，１７０Ｕ間に水平方向に延びる横目地１７２が形成されている。また、上張りボード部材１７０は、隣接するコーナースタッド１２０Ｃに渡って（またがって）配置されている。なお、下張りボード部材１６０及び上張りボード部材１７０は、各々の横目地１６２、１７２（図２参照）が上下方向（鉛直方向）にずれるように配置されている。
【００３４】
ここで、上下方向に隣接する上張りボード部材１７０の端部１７０Ｔ，１７０Ｕ、即ち、横目地１７２を形成する端部１７０Ｔ，１７０Ｕは、第１固定手段としてのビス１７４でコーナースタッド１２０Ｃ及び中間スタッド１２０Ｍにそれぞれ固定されている。このビス１７４は、上張りボード部材１７０の端部１７０Ｔ（又は端部１７０Ｕ）と、下張りボード部材１６０を貫通し、コーナースタッド１２０Ｃ又は中間スタッド１２０Ｍに留められている。これにより、上下方向に隣接する上張りボード部材１７０の端部１７０Ｔ，１７０Ｕの間に形成された横目地１７２の開きが抑制されている。なお、上張りボード部材１７０は、下張りボード部材１６０の外面に塗布された接着剤等で下張りボード部材１６０に接着しても良いし、ドリリングタッピンねじ、ステープル等で下張りボード部材１６０に固定しても良い。
【００３５】
図３（Ｂ）に示されるように、鉄骨柱１１０の各側壁に対向する上張りボード部材１７０は、その幅方向（矢印Ｙ方向又は矢印Ｘ方向）の端部１７０Ｌ、１７０Ｒ同士が突き当てられており、鉄骨柱１１０を囲んでいる。具体的には、隣接する一方の上張りボード部材１７０の幅方向の端部１７０Ｒにおける側面に、隣接する他方の上張りボード部材１７０の幅方向の端部１７０Ｌおける端面が突き当てられ、角部１０６が形成されている。
【００３６】
なお、隣接する一方の上張りボード部材１７０の端部１７０Ｒにおける側面には、隣接する他方の上張りボード部材１７０の端部１７０Ｌおける端面だけでなく、下張りボード部材１６０の幅方向の端部１６０Ｌにおける端面も突き当てられている。
【００３７】
また、図示を省略するが、下張りボード部材１６０及び上張りボード部材１７０と、スラブ１２及び上階のスラブ（図示省略）との間には、隙間ができないようにロックウールや耐火シール材等の耐火性能を有する目地材を挟むことで、耐火性や遮音性をさらに高めることが可能である。また、上記した下張りボード部材１６０の幅方向の端部１６０Ｌ，１６０Ｒ、及び上張りボード部材１７０の幅方向の端部１７０Ｌ，１７０Ｒ同士の突き当て方は、あくまでも一例であってこれに限定されるものではない。
【００３８】
次に、第１実施形態に係るボード部材取付構造の作用について説明する。
【００３９】
構造物１０の柱１００を構成する鉄骨柱１１０の周囲をボード部材１５０で囲んで耐火被覆を施すことにより、火災時における鉄骨柱１１０の温度上昇が抑えられる。その結果、火災時における鉄骨柱１１０の耐力低下や熱膨張の影響が抑えられる。また、下張りボード部材１６０の外面に仕上げ兼用の上張りボード部材１７０を重ねたことにより、耐火性能を向上しつつ、柱１００の仕上げ材等を省略することができる。
【００４０】
更に、鉄骨柱１１０の周囲に配置されたスタッド１２０でボード部材１５０を支持したことにより、鉄骨柱１１０の外面に接着剤等でボード部材１５０を直接接合する構成と比較して、ボード部材１５０を精度良く施工することができる。従って、ボード部材１５０の施工（鉄骨柱１１０の耐火被覆）と壁等の内装工事とを同一の業者で行うことが可能となる。また、スタッド１２０は、鉄骨柱１１０と間隔を空けて配置され、スラブ１２等に設けられたランナー１３０等によって鉄骨柱１１０から独立して支持されている（図１参照）。従って、鉄骨柱１１０の外面に沿ってスタッド１２０を溶接等で接合する構成と比較して、鉄骨柱１１０の精度に依存することなく、スタッド１２０を精度良く設置することができる。
【００４１】
また、鉄骨柱１１０にロックウール等の吹付け材（耐火被覆材）を吹付け、その周りを仕上げ用のボードで囲った構造と比較し、本実施形態のように、吹付け材を省略し、鉄骨柱１１０の周りを耐火被覆材と仕上げ材とを兼用したボード部材１５０で囲む構造とすることで、ボード部材１５０で囲まれた軸方向と直交する断面（柱１００の水平断面）の仕上げ幅が抑えられ、その結果、居室の有効面積を大きくすることができる。
【００４２】
ここで、強化石膏ボード及び石膏ボードを構成する石膏は多量の結晶水を含んでおり、炎や熱に晒されると、結晶水が蒸気として空気中に放出される。この結晶水の蒸発によって、熱が吸収されて断熱効果を発揮する。これと同様に、石膏ボードで構成された上張りボード部材１７０は、その結晶水が蒸発することによって耐熱効果を発揮するが、この場合、炎や熱に晒される外面側から温度が上昇して結晶水が蒸発される。この結果、上張りボード部材１７０の外面側が収縮する。これにより、図４（Ｂ）に示される比較例中の想像線（二点破線）のように、上下方向に隣接する上張りボード部材１７０の端部１７０Ｔ，１７０Ｕが外側に向かって湾曲するように変形し（反り）、これらの端部１７０Ｔ，１７０Ｕ間に形成された横目地１７２が開いて、弱点となる恐れがある。なお、強化石膏ボードで構成された下張りボード部材１６０についても同様である。
【００４３】
この対策として、本実施形態では、図４（Ａ）に示されるように、上下方向に隣接する上張りボード部材１７０の端部１７０Ｔ，１７０Ｕをビス１７４でコーナースタッド１２０Ｃ（図３（Ｂ）参照）及び中間スタッド１２０Ｍに固定したことにより、これらの端部１７０Ｔ，１７０Ｕ間に形成された横目地１７２の開きが抑制される。これにより、横目地１７２から柱１００の内部へ浸入する熱気や炎等が低減される。また、横目地１７２付近の下張りボード部材１６０の露出が抑制されるため、下張りボード部材１６０の温度上昇が低減される。特に、本実施形態では、横目地１７２を形成する上張りボード部材１７０の端部１７０Ｔ，１７０Ｕをビス１７４でコーナースタッド１２０Ｃ等に固定したことにより、鉄骨柱１１０の耐火性能を効率的に向上することができる。詳説すると、鉄骨柱１１０は、火災熱等によって加熱されると、熱膨張して軸方向（上下方向）に伸張する。この鉄骨柱１１０の軸方向の伸張に下張りボード部材１６０及び上張りボード部材１７０が追従すると、横目地１７２等の開きが大きくなる。このように弱点となり易い横目地１７２を形成する上張りボード部材１７０の端部１７０Ｔ，１７０Ｕをビス１７４でコーナースタッド１２０Ｃ等に固定したことにより、鉄骨柱１１０の耐火性能を効率的に向上することができる。更に、ビス１７４によって、上張りボード部材１７０の端部１７０Ｔ，１７０Ｕだけでなく、下張りボード部材１６０もコーナースタッド１２０Ｃ及び中間スタッド１２０Ｍに固定されるため、下張りボード部材１６０の支持性能が向上する。このように、本実施形態に係るボード部材取付構造によれば、横目地１７２の開きを抑制して、鉄骨柱１１０の耐火性能を向上することができる。
【００４４】
＜第２実施形態＞
次に、第２実施形態に係るボード部材取付構造について説明する。なお、第１実施形態と同様の構成については、同符号を付すると共に、適宜省略して説明する。
【００４５】
図５、図６（Ａ）、及び図６（Ｂ）に示されるように、第２実施形態に係る柱１０８は、上記第１実施形態と比較して鉄骨柱１１２の水平断面積が大きくなっており、鉄骨柱１１２の各側壁に対して、下張りボード部材１６０及び上張りボード部材１７０が水平方向に複数（本実施形態では、２枚）並べられて配置されている。そのため、水平方向に隣接する下張りボード部材１６０の端部１６０Ｌ，１６０Ｒ（図６参照）の間に上下方向に延びる縦目地１６６が形成され、水平方向に隣接する上張りボード部材１７０の端部１７０Ｌ、１７０Ｒの間に上下方向に延びる縦目地１７６が形成されている。なお、上張りボード部材１７０と下張りボード部材１６０とは、各々の縦目地１６６，１７６が水平方向にずれるように配置されている。
【００４６】
なお、説明の便宜上、隣接するコーナースタッド１２０Ｃの一方をコーナースタッド１２０ＣＡとし、隣接する他方のコーナースタッド１２０Ｃをコーナースタッド１２０ＣＢとする。また、水平方向に隣接する上張りボード部材１７０のうち、幅が長い方の上張りボード部材１７０を上張りボード部材１７０Ａとし、幅が短い方の上張りボード部材１７０を上張りボード部材１７０Ｂとする。
【００４７】
図６（Ａ）に示されるように、水平方向に隣接する下張りボード部材１６０は幅が同じ又は略同じで、コーナースタッド１２０ＣＡと中間スタッド１２０Ｍ、又はコーナースタッド１２０ＣＢと中間スタッド１２０Ｍに渡って（またがって）それぞれ配置され、各々の幅方向の端部１６０Ｌ，１６０Ｒの端面同士が中間スタッド１２０Ｍの上で突き合わされている。そして、各下張りボード部材１６０の幅方向の端部１６０Ｌ，１６０Ｒが、ビス１６４でコーナースタッド１２０ＣＡ（又はコーナースタッド１２０ＣＢ）と中間スタッド１２０Ｍに固定されている。
【００４８】
図６（Ｂ）に示されるように、上張りボード部材１７０Ａ，１７０Ｂは幅が異なっており、水平方向に隣接する幅方向の端部１７０Ｌ，１７０Ｒの端面同士がコーナースタッド１２０ＣＢと中間スタッド１２０Ｍの間で突き合わせられている。具体的には、幅が長い一方の上張りボード部材１７０Ａは、コーナースタッド１２０ＣＡと中間スタッド１２０Ｍに渡って配置され、その幅方向の一端部１７０Ｒがコーナースタッド１２０ＣＡの上に配置されると共に、その幅方向の他端部１７０Ｌが立面視にて中間スタッド１２０Ｍとコーナースタッド１２０ＣＢの間に配置されている。
【００４９】
一方、幅が短い他方の上張りボード部材１７０Ｂは、その幅方向の一端部１７０Ｌがコーナースタッド１２０ＣＢの上に配置され、その幅方向の他端部１７０Ｒが立面視にてコーナースタッド１２０ＣＢと中間スタッド１２０Ｍの間に配置されている。そして、上下方向に隣接する上張りボード部材１７０Ａの端部１７０Ｔ，１７０Ｕ（図５参照）が、ビス１７４でコーナースタッド１２０ＣＡ及び中間スタッド１２０Ｍに固定されると共に、上下方向に隣接する上張りボード部材１７０Ｂの端部１７０Ｔ，１７０Ｕが、ビス１７４でコーナースタッド１２０ＣＢ及び中間スタッド１２０Ｍに固定されている。なお、縦目地１７６を形成する上張りボード部材１７０Ａ，１７０Ｂの端部１７０Ｌ，１７０Ｒは、ドリリングタッピンねじ、接着剤、ステープル等で下張りボード部材１６０に固定しても良い。
【００５０】
次に、第２実施形態に係るボード部材取付構造の作用について説明する。
【００５１】
上下方向に隣接する上張りボード部材１７０Ａの端部１７０Ｔ，１７０Ｕをビス１７４でコーナースタッド１２０ＣＡ及び中間スタッド１２０Ｍに固定すると共に、上下方向に隣接する上張りボード部材１７０Ｂの端部１７０Ｔ，１７０Ｕをビス１７４でコーナースタッド１２０ＣＢ及び中間スタッド１２０Ｍに固定することにより、これらの端部１７０Ｔ，１７０Ｕ間に形成される横目地１７２の開きが抑制される。更に、水平方向に隣接する上張りボード部材１７０Ａ，１７０Ｂの端部１７０Ｌ，１７０Ｒの間に形成される縦目地１７６の開きも抑制される。従って、横目地１７２及び縦目地１７６から柱１０８の内部へ浸入する熱気や炎等が低減されるため、耐火性能が向上する。
【００５２】
また、下張りボード部材１６０の縦目地１６６と上張りボード部材１７０Ａ，１７０Ｂの縦目地１７６を水平方向にずらしたことにより、縦目地１６６と縦目地１７６が重なる構成と比較して、縦目地１６６、１７６から柱１０８の内部へ浸入する熱気や炎等が低減される。
【００５３】
ここで、縦目地１７６は、火災熱等によって水平方向に隣接する上張りボード部材１７０Ａ，１７０Ｂに収縮や反りが生じ、突き合わせられた端部１７０Ｌ，１７０Ｒが移動する（離れる）ことにより開かれる。この場合、一般に、幅が長い上張りボード部材１７０Ａの端部１７０Ｌの移動量が、幅が短い上張りボード部材１７０Ｂの端部１７０Ｒの移動量よりも大きくなる。従って、本実施形態のように、幅が長い上張りボード部材１７０Ａを中間スタッド１２０Ｍにビス１７４で固定することにより、縦目地１７６の開きを効率的に抑制することができる。上張りボード部材１７０Ａの幅を短くした場合と同様の効果を得ることができるためである。
【００５４】
なお、図７（Ａ）及び図７（Ｂ）に示されるように、下張りボード部材１６０の縦目地１６６の位置と、上張りボード部材１７０Ａ，１７０Ｂの縦目地１７６の位置を入れ替え、水平方向に隣接する上張りボード部材１７０Ａ，１７０Ｂの端部１７０Ｌ，１７０Ｒをビス１７４で中間スタッド１２０Ｍに固定することも可能である。
【００５５】
＜変形例＞
次に、第１、第２実施形態に係る耐火ボード取付構造の変形例について説明する。
【００５６】
上記第１、第２実施形態では、上下方向に隣接する上張りボード部材１７０の端部１７０Ｔ，１７０Ｕのみを、ビス１７４でコーナースタッド１２０Ｃ及び中間スタッド１２０Ｍに固定したがこれに限らない。例えば、図８に示されるように、第１実施形態において、上張りボード部材１７０の幅方向の端部１７０Ｌ，１７０Ｒを第３固定手段としてのビス１７８でコーナースタッド１２０Ｃ及び中間スタッド１２０Ｍに固定しても良い。ビス１７８は、１枚の上張りボード部材１７０における上下の端部１７０Ｔ，１７０Ｕをコーナースタッド１２０Ｃに固定するビス１７４（第１固定手段）の間に、上下方向に間隔を空けて複数（図８では、６つ）設けられており、上張りボード部材１７０の幅方向の端部１７０Ｌ（又は端部１７０Ｒ）（図３（Ｂ）参照）、及び下張りボード部材１６０の幅方向の端部１６０Ｌ（又は端部１６０Ｒ）（図３（Ａ）参照）を貫通してコーナースタッド１２０Ｃに留められている。これにより、上張りボード部材１７０及び下張りボード部材１６０の支持性能が向上すると共に、角部１０６，１０４に形成された縦目地の開きが抑制される。従って、耐火性能が向上する。
【００５７】
なお、図示を省略するが、上張りボード部材１７０の幅方向の中央部をビス１７８で、中間スタッド１２０Ｍに固定することも可能である。この場合、上張りボード部材１７０の幅方向の中央部を中間スタッド１２０Ｍに固定するビス１７８の数よりも、上張りボード部材１７０の幅方向の端部１７０Ｌ，１７０Ｒをコーナースタッド１２０Ｃに固定するビス１７８の数を多くすることにより、柱１００の角部１０６（図３（Ｂ）参照）に形成される縦目地１７６の開きを効率的に抑制することができる。
【００５８】
また、図８に示す構成では、スラブ１２側に配置された上張りボード部材１７０における下の端部１７０Ｕは、他の上張りボード部材１７０の上の端部１７０Ｔと隣接していない。従って、この上張りボード部材１７０における下の端部１７０Ｕをコーナースタッド１２０Ｃ等に固定するビス１７４は、厳密に言うと第１固定手段に当たらないが、隣接するスラブ１２を上張りボード部材１７０と見なして、第１固定手段に当たるものとする。最上部の上張りボード部材１７０についても同様である。
【００５９】
更に、上記第２実施形態においても、図９に示されるように、上張りボード部材１７０Ａの幅方向の端部１７０Ｒ（図６（Ｂ）参照）をビス１７８でコーナースタッド１２０ＣＡに固定しても良いし、上張りボード部材１７０Ｂの幅方向の端部１７０Ｌ（図６（Ｂ）参照）をビス１７８でコーナースタッド１２０ＣＢに固定しても良い。また、図９に示す構成では、上張りボード部材１７０Ａの幅方向の端部１７０Ｌの周辺部がビス１７８で中間スタッド１２０Ｍに固定されている。これにより、縦目地１７６の開きが更に抑制される。
【００６０】
なお、隣接する上張りボード部材１７０Ａ，１７０Ｂの幅方向の端部１７０Ｌ，１７０Ｒが角度を持って突き当てられた角部１０６（図６（Ｂ）参照）に形成される縦目地は、同一面内において水平方向に隣接する上張りボード部材１７０Ａ，１７０Ｂの端部１７０Ｌ，１７０Ｒ間に形成される縦目地１７６と比較して、一般に開き易くなっている。従って、上張りボード部材１７０Ａを中間スタッド１２０Ｍに固定するビス１７８の数よりも、上張りボード部材１７０の幅方向の端部１７０Ｒをコーナースタッド１２０Ｃに固定するビス１７８の数を多くすることにより、ビス１７８の数を抑えつつ、耐火性能を効率的に向上することができる。なお、図９に示す構成では、上張りボード部材１７０Ａの幅方向の端部１７０Ｌの周辺部を中間スタッド１２０Ｍに固定するビス１７８の数が１つとされ、上張りボード部材１７０Ａの幅方向の端部１７０Ｒをコーナースタッド１２０ＣＡに固定するビス１７８の数が８つとされている。
【００６１】
また、上記第１、第２実施形態において、隣接する中間スタッド１２０Ｍとコーナースタッド１２０Ｃに渡された被固定部材に上張りボード部材１７０を固定しても良い。
【００６２】
具体的には、図１０（Ａ）及び図１０（Ｂ）に示されるように、被固定部材１２１は帯状の板材で、水平方向を長手方向として隣接するコーナースタッド１２０Ｃと中間スタッド１２０Ｍの間に渡されている。被固定部材１２１はスチール材若しくは軽鉄材で構成された薄型のフラットプレートとされている。また、被固定部材１２１の長手方向の端部は、下張りボード部材１６０とコーナースタッド１２０Ｃの間、又は下張りボード部材１６０と中間スタッド１２０Ｍの間に配置され、ビス１２３でコーナースタッド１２０Ｃ又は中間スタッド１２０Ｍに固定されている。
【００６３】
この被固定部材１２１に、上下方向に隣接する上張りボード部材１７０の端部１７０Ｔ，１７０Ｕがビス１８０で固定されている。なお、ビス１８０は、上張りボード部材１７０の端部１７０Ｔ，１７０Ｕ及び下張りボード部材１６０を貫通し、被固定部材１２１に留められている。
【００６４】
このように、隣接するコーナースタッド１２０Ｃと中間スタッド１２０Ｍに被固定部材１２１を渡すことにより、コーナースタッド１２０Ｃ及び中間スタッド１２０Ｍの剛性が増加するため、上張りボード部材１７０及び下張りボード部材１６０の面外変形（例えば、反り等）に対する拘束力が大きくなる。また、上下方向に隣接する上張りボード部材１７０の端部１７０Ｔ，１７０Ｕを被固定部材１２１に固定することにより、横目地１７２の開きが抑制される。従って、鉄骨柱１１０の耐火性能が更に向上する。しかも、新たな中間スタッド１２０Ｍ等を設けずに、上張りボード部材１７０の固定部を増加することができるため、コスト削減を図ることができる。
【００６５】
なお、図１０（Ａ）及び図１０（Ｂ）に示す構成では、被固定部材１２１をフラットプレートで構成したが、これに限らない。例えば、図１１（Ａ）及び図１１（Ｂ）に示されるように、エンボス加工によって表面に複数の凹部１２２Ａが形成された被固定部材１２２を用いても良い。このように被固定部材１２２の表面に凹部１２２Ａ（凹凸）を形成し、面外に対する剛性を増加することにより、下張りボード部材１６０及び上張りボード部材１７０の面外変形に対する拘束力を高めることができる。
【００６６】
更に、図１１（Ａ）及び図１１（Ｂ）に示す構成では、被固定部材１２２の長手方向両端部が内側に折り曲げられ、これらの両端部がビス１２４でコーナースタッド１２０Ｃ及び中間スタッド１２０Ｍにそれぞれ固定されている。このように、コーナースタッド１２０Ｃ及び中間スタッド１２０Ｍに対する被固定部材１２２の固定方法も適宜変更可能である。
【００６７】
また、図１２（Ａ）及び図１２（Ｂ）に示されるように、コーナースタッド１２０Ｃと中間スタッド１２０Ｍの間にブレース状の被固定部材１２６を設けても良い。この被固定部材１２６は断面Ｃ形で、コーナースタッド１２０Ｃと中間スタッド１２０Ｍの間に斜め方向に渡されており、その両端部がコーナースタッド１２０Ｃ及び中間スタッド１２０Ｍにビス１２８で固定されている。なお、コーナースタッド１２０Ｃを構成する一方のスタッド１２０には、被固定部材１２６の一端部が配置される切り欠き部１３４が形成されている。これと同様に、中間スタッド１２０Ｍについても被固定部材１２６の他端部が配置される切り欠き部（図示省略）が形成されている。
【００６８】
このようにコーナースタッド１２０Ｃと中間スタッド１２０Ｍの間に被固定部材１２６をブレース状に渡すことにより、コーナースタッド１２０Ｃ及び中間スタッド１２０Ｍの剛性を更に向上することができる。また、被固定部材１２６に、上張りボード部材１７０の端部１７０Ｔ，１７０Ｕ以外の部位をビス１８０で固定することにより、上張りボード部材１７０及び下張りボード部材１６０の支持性能が向上する。
【００６９】
なお、被固定部材１２１，１２２，１２６の数や配置は上記したものに限らず、必要に応じて適宜変更可能である。また、被固定部材１２１，１２２，１２６の形状も上記したものに限らず、例えば、板材、リブ付き板材、断面Ｃ形、断面ボックス形、断面Ｈ形等でも良い。更に、中間スタッド１２０Ｍが存在しない構成では、隣接するコーナースタッド１２０Ｃに被固定部材１２１，１２２，１２６を渡しても良い。
【００７０】
また、上記第１、第２実施形態では、コーナースタッド１２０Ｃを構成する２つのスタッド１２０のうち、一方のスタッド１２０に下張りボード部材１６０及び上張りボード部材１７０を第１固定手段としてのビス１７４で固定したが、他方のスタッド１２０にも下張りボード部材１６０及び上張りボード部材１７０をビス１７４で固定しても良い。即ち、コーナースタッド１２０Ｃを構成する２つのスタッド１２０の少なくとも一方に、下張りボード部材１６０及び上張りボード部材１７０がビス１７４で固定されていれば良い。なお、本実施形態における他方のスタッド１２０は、下張りボード部材１６０に接触（当接）することにより、下張りボード部材１６０及び上張りボード部材１７０を支持している。また、コーナースタッド１２０Ｃは、前述したように２つの以上のスタッド１２０で構成しても良いし、図１３に示されるように、１つのスタッド１２０で構成しても良い。更に、中間スタッド１２０Ｍは、鉄骨柱１１０，１１２の水平断面積に応じて設ければ良く、その配置や数は適宜変更可能であり、また、省略することも可能である。
【００７１】
上記第１、第２実施形態では、中間スタッド１２０Ｍが１本の場合で説明したが、２本以上の場合も同様である。
【００７２】
また、上記第１、第２実施形態では、スタッド１２０は、鉄骨柱１１０，１１２と間隔を空けて配置されていたが、これに限定されない。スタッド１２０と鉄骨柱１１０，１１２との間にスペーサが挟まれていても良い。或いは、スタッド１２０の長手方向の一部又は全部が鉄骨柱１１０，１１２と接触していても良い。ただし、スペーサが挟まれたり接触したりする構造であっても、施工性の観点からスタッド１２０は鉄骨柱１１０，１１２から独立して支持された構造とすることが望ましい。
【００７３】
更に、上記第１、第２実施形態では、支持部材として断面Ｃ字形状のスタッド１２０を用いたが、これに限定されない。例えば、正方形、円形（楕円を含む）、管状、或いは断面Ｈ形状等の支持部材を用いても良い。更に、スタッド１２０は、スラブ１２に設けられたランナー１３０等で支持されているが、これに限定されない。スタッド１２０の支持構造は、どのような支持構造でも良く、例えば、断面Ｌ字状等のアングルをスラブ１２に設け、このアングルにスタッド１２０を固定しても良い。
【００７４】
また、上記第１、第２実施形態では、ボード部材１５０は、下張りボード部材１６０及び上張りボード部材１７０の２枚のボードを面外方向（板厚方向）に重ねた構成としたが、これに限定されない。ボード部材１５０は、少なくも２枚のボード部材を重ねた構成であれば良く、例えば、上張りボード部材１７０の外面に更に１枚以上のボードを重ねても良いし、スタッド１２０に支持された１枚以上のボードの外面に下張りボード部材１６０及び上張りボード部材１７０を重ねて構成しても良い。
【００７５】
更に、上記第１、第２実施形態では、ボード部材１５０を構成する下張りボード部材１６０及び上張りボード部材１７０は、石膏ボード（正確には、下張りボード部材１６０は繊維補強された強化石膏ボード）で構成されていたが、これに限定されない。石膏ボード以外の耐火ボード、例えば、繊維混入けい酸カルシウム板、モルタルボード、ロックウールボード、セラミックファイバーボード、ＰＣ板、ＡＬＣパネル、押し出し成形セメント板等で構成されていても良い。これらの耐火ボードには、火災時にそれぞれの特性に応じた伸縮や反り、破損等が生じるが、上記第１、第２実施形態に係るボード部材取付構造を適用することで、支持性能を向上することができる。また、ボード部材が耐火ボード以外のボード（化粧板など）で構成されていても良い。或いは、ボード部材が複数枚のボードで構成されている場合は、耐火ボードと耐火ボード以外のボードとを組み合わせた構成であっても良い。
【００７６】
また、上記第１、第２実施形態では、鉄骨柱１１０，１１２の水平断面が略矩形状（略長方形又は略正方形）の鋼管であったが、これに限定されない、例えば、円形の鋼管やＨ形鋼等であっても良い。また、管状の鉄骨柱（鋼管柱）であれば、その中にコンクリートやモルタル等が充填されていても良い。
【００７７】
更に、鉄骨柱１１０，１１２とボード部材１５０との間に、スタッド１２０以外の他の部材が配置されていても良い。例えば、鉄骨柱１１０，１１２とボード部材１５０との間にグラスウールなどの断熱材が配置されていても良い。別の言い方をすると、鉄骨柱１１０，１１２の周りにグラスウールなどの断熱材が巻かれ、この断熱材の外側をボード部材１５０で囲んだ（耐火被覆した）構造としても良い。また、柱１００の水平断面は、略矩形状（略長方形又は略正方形）であったが、三角形や五角形以上の多角形状であっても良い。或いは、一部又は全部の辺が湾曲した形状であっても良い。
【００７８】
また、第１、第２実施形態では、鉄骨コンクリート構造の構造物を構成する鉄骨柱の耐火構造を例に説明したが、これに限定されない。例えば、鉄骨コンクリート構造等の鉄骨構造や鉄骨鉄筋構造の構造物を構成する鉄骨部材の耐火構造にも適用することができる。また、複合耐火構造（例えば、鉄骨柱を壁と耐火ボードで囲む耐火構造）にも適用可能である。更に、鉄骨梁の耐火構造にも適用することができる。なお、鉄骨梁の構造は、上記第１、第２実施形態で説明した鉄骨柱１１０，１１２の構造を９０°傾けた構造と略同様であり、鉄骨梁の軸方向は、水平方向又は略水平方向となる。
【００７９】
以上、本発明の第１、第２実施形態について説明したが、本発明はこうした実施形態に限定されるものでなく、第１、第２実施形態を組み合わせて用いても良いし、本発明の要旨を逸脱しない範囲において、種々なる態様で実施し得ることは勿論である。
【符号の説明】
【００８０】
１０２    隅部
１１０    鉄骨柱（鉄骨部材）
１１２    鉄骨柱（鉄骨部材）
１２０    スタッド（支持部材）
１２０Ｃ  コーナースタッド（コーナー支持部材）
１２０Ｍ  中間スタッド（中間支持部材）
１２１    被固定部材
１２２    被固定部材
１２６    被固定部材
１６０    下張りボード部材
１７０    上張りボード部材
１７４    ビス（第１固定手段）
１７８    ビス（第３固定手段）
１８０    ビス（第２固定手段）
【図１】
0005851087.tif 000002
【図２】
0005851087.tif 000003
【図３】
0005851087.tif 000004
【図４】
0005851087.tif 000005
【図５】
0005851087.tif 000006
【図６】
0005851087.tif 000007
【図７】
0005851087.tif 000008
【図８】
0005851087.tif 000009
【図９】
0005851087.tif 000010
【図１０】
0005851087.tif 000011
【図１１】
0005851087.tif 000012
【図１２】
0005851087.tif 000013
【図１３】
0005851087.tif 000014